(57)【要約】【課題】運転整理の支援において状況に良好に適合する運転整理案を提案することを可能にする技術を提供する。【解決手段】支障情報管理手段は、現場で発生した支障に関する支障情報に基づいて、支障が乗物の運行に及ぼす影響を表す支障レベルを判断する。乗物優先順位管理手段は、各乗物の乗物混雑率と各乗降場の乗降場混雑率との両方あるいは一方の即時的な情報である乗客情報と、各乗物の即時的な存在位置に基づく存在位置情報とに基づいて、支障に対する運転整理における各乗物の乗物優先順位情報を生成する。予測データ管理手段は、過去において承認されたか否かに基づいて運転整理案を支障レベルと乗物優先順位情報とに対応づけて記録した運転整理パターン情報を参照することにより、支障レベルと乗物優先順位情報とに基づいて、予測ダイヤの変更における各乗物に対する運転整理案を作成する。【選択図】図１
2014091480.tif 000002
【特許請求の範囲】
【請求項１】
乗物の運転を管理し、状況に応じて運転整理を行う運転整理装置において、
現場設備から受信した、現場で発生した支障に関する情報である支障情報に基づいて、前記発生した支障が乗物の運行に及ぼす影響を表す支障レベルを判断する支障情報管理手段と、
各乗物の乗客の混雑率である乗物混雑率と各乗降場の乗客の混雑率である乗降場混雑率との両方あるいは一方の即時的な情報である乗客情報と、各乗物の即時的な存在位置に基づく存在位置情報とに基づいて、支障に対する運転整理における各乗物の優先順位を示す乗物優先順位情報を生成する乗物優先順位管理手段と、
過去において承認されたか否かに基づいて運転整理案を支障レベルと乗物優先順位情報とに対応づけて記録した運転整理パターン情報を参照することにより、前記支障情報管理手段で判断された前記支障レベルと前記乗物優先順位管理手段で生成された乗物優先順位情報とに基づいて、予測ダイヤの変更における各乗物に対する運転整理案を作成する予測データ管理手段と、を有することを特徴とする運転整理装置。
【請求項２】
各乗物の運行を管理し、支障によって各乗物に実際に生じた遅延を示す実績遅延情報を記録する運行管理手段を更に有し、
前記予測データ管理手段は、前記発生した支障に対して見込まれる各乗物の遅延時間である遅延見込み時間を予測し、該遅延見込み時間に基づいて、前記遅延見込み時間を見込んだ予測ダイヤである遅延見込み予測ダイヤを生成し、
前記支障情報管理手段は、前記支障情報と、前記遅延見込み予測ダイヤおよび前記実績遅延情報との関係に基づいて前記支障レベルを決定する
請求項１に記載の運転整理装置。
【請求項３】
各乗物の即時的な在線位置から得られる乗物の間隔に基づいて、所定の領域における乗物の密度である乗物密度を算出し、前記存在位置情報に含めて前記乗物優先順位管理手段に通知するダイヤ管理手段を更に有し、
前記乗物優先順位管理手段は、前記乗物密度を用いて各乗物の前記優先順位を決定する、
請求項１に記載の運転整理装置。
【請求項４】
前記予測データ管理手段は、運転整理案の提案およびその承認あるいは非承認を含むイベントが起こる毎に、提案された前記運転整理案と該運転整理案が承認されたか否かの承認結果とに基づいて、前記運転整理パターン情報を更新する、請求項１に記載の運転整理装置。
【請求項５】
乗物の運転を管理し、状況に応じて運転整理を行うための運転整理方法において、
現場設備から受信した、現場で発生した支障に関する情報である支障情報に基づいて、前記発生した支障が乗物の運行に及ぼす影響を表す支障レベルを判断するステップと、
各乗物の乗客の混雑率である乗物混雑率と各乗降場の乗客の混雑率である乗降場混雑率との両方あるいは一方の即時的な情報である乗客情報と、各乗物の即時的な存在位置に基づく存在位置情報とに基づいて、支障に対する運転整理における各乗物の優先順位を示す乗物優先順位情報を生成するステップと、
過去において承認されたか否かに基づいて運転整理案を支障レベルと乗物優先順位情報とに対応づけて記録した運転整理パターン情報を参照することにより、前記支障情報管理手段で判断された前記支障レベルと前記乗物優先順位管理手段で生成された乗物優先順位情報とに基づいて、予測ダイヤの変更における各乗物に対する運転整理案を作成するステップと、を有することを特徴とする運転整理方法。
【発明の詳細な説明】
【技術分野】
【０００１】
本発明は、計画的に運転される複数の装置の運転を管理する技術に関し、特に、装置の稼働に遅延が生じたときに運転整理を行うための技術に関する。
【背景技術】
【０００２】
鉄道の列車運行管理においては、運転経路上に支障が発生し、それが原因で列車の運行に遅延が発生した場合、運転整理を行って運行の回復を図ることが行われる。その際、指令員は、支障が発生したという連絡を受けたら、列車運行管理システムの運転整理端末に表示される予測ダイヤを参照し、また支障の程度を考慮して、その支障による列車の遅延への影響度を推測することにより運転整理の方策案を決定し、運転整理端末からダイヤ変更を実施する。
【０００３】
また、その指令員による運転整理を支援する装置が提案されている（特許文献１参照）。特許文献１による運転整理提案装置は、運行ダイヤの乱れ発生時、運行予測精度を向上するとともに、状況に即した順序で運転整理案を提示する。これにより、乱れたダイヤの効率の良い正常運行への回復を図っている。提示する運転整理案の順序は、過去に指令員が運転整理案に対して承認をしたか否かを記録した履歴に基づいて調整される。
【先行技術文献】
【特許文献】
【０００４】
【特許文献１】特開２００８−２２２００４号公報
【発明の概要】
【発明が解決しようとする課題】
【０００５】
しかしながら、特に列車が高密度で走行する区間などでは、支障が発生してから時間の経過にとともなう状況の変化が速い。例えば、列車に遅延が生じると、その影響により、列車の乗車率やホームの混雑率、列車の在線位置や列車間隔などが急激に変化する。それに対して、特許文献１の技術では、運転整理案の順序には、その時点の乗客の状況や列車の状況が考慮されていない。そのため、状況に良好に適合する運転整理案が提案されていない可能性があった。
【０００６】
本発明の目的は、運転整理の支援において状況に良好に適合する運転整理案を提案することを可能にする技術を提供することである。
【課題を解決するための手段】
【０００７】
本発明の一態様による運転整理装置は、乗物の運転を管理し、状況に応じて運転整理を行う運転整理装置において、現場設備から受信した、現場で発生した支障に関する情報である支障情報に基づいて、前記発生した支障が乗物の運行に及ぼす影響を表す支障レベルを判断する支障情報管理手段と、各乗物の乗客の混雑率である乗物混雑率と各乗降場の乗客の混雑率である乗降場混雑率との両方あるいは一方の即時的な情報である乗客情報と、各乗物の即時的な存在位置に基づく存在位置情報とに基づいて、支障に対する運転整理における各乗物の優先順位を示す乗物優先順位情報を生成する乗物優先順位管理手段と、過去において承認されたか否かに基づいて運転整理案を支障レベルと乗物優先順位情報とに対応づけて記録した運転整理パターン情報を参照することにより、前記支障情報管理手段で判断された前記支障レベルと前記乗物優先順位管理手段で生成された乗物優先順位情報とに基づいて、予測ダイヤの変更における各乗物に対する運転整理案を作成する予測データ管理手段と、を有している。
【発明の効果】
【０００８】
本発明によれば、乗物の運転整理の支援において状況に良好に適合する運転整理案を提案することが可能である。
【図面の簡単な説明】
【０００９】
【図１】本実施形態による運転整理装置の概略構成を示すブロック図である。
【図２】本実施形態による運転整理装置の動作を示すフローチャートである。
【図３】本実施例による列車運行管理システムの構成を示すブロック図である。
【図４】過去運転整理実績データベース２０に記録されたデータの一例を示す図である。
【図５】パターンマトリックスの一例を示す図である。
【図６】各列車の支障レベルと列車優先順位とを表す情報の一例を示す図である。
【図７】図６における列車を列車優先順位が高い順にソートした情報を示す図である。
【図８Ａ】運転整理案の提案が行われる過程を説明するための図である。
【図８Ｂ】運転整理案の提案が行われる過程を説明するための図である。
【図８Ｃ】運転整理案の提案が行われる過程を説明するための図である。
【発明を実施するための形態】
【００１０】
本発明の実施形態について図面を参照して説明する。
【００１１】
本実施形態による運転整理装置は、乗降場で乗り降りする乗客を輸送する鉄道の列車、バス、その他の乗物の運転を管理し、整理する装置である。本実施形態の説明では鉄道の列車を例示するが、本発明は他の乗物にも同様に適用することができる。
【００１２】
図１は、本実施形態による運転整理装置の概略構成を示すブロック図である。運転整理装置１００は、予測データ管理装置１０１、支障情報管理装置１０２、乗物優先順位管理装置１０３、および運行管理装置１０４を有している。
【００１３】
運転整理装置１００は、乗物（列車）の運転を管理するとともに、状況に応じて運転整理を行う。
【００１４】
支障情報管理装置１０２は、列車の走行する経路上にある信号等の現場設備から受信から、現場で発生した支障に関する情報である支障情報を受信する。支障情報を受信すると、支障情報管理装置１０２は、その支障情報に基づいて、発生した支障が列車の運行に及ぼす影響を表す支障レベル（ＣＬ：Ｃｏｎｆｌｉｃｔ  Ｌｅｖｅｌ）を判断する。典型的には、予想される遅延時間が長いほど、支障レベルが高いものとなる。
【００１５】
乗物優先順位管理装置１０３は、各列車の乗客の混雑率である乗物混雑率（列車混雑率）と各乗降場（駅のホーム）の乗客の混雑率である乗降場混雑率（ホーム混雑率）との両方あるいは一方の即時的な情報である乗客情報と、各列車の即時的な存在位置（在線位置）に基づく存在位置情報（在線情報）とを列車と駅の設備からそれぞれ取得する。乗客情報と在線情報を取得した乗物優先順位管理装置１０３は、それらの情報に基づいて、支障に対する運転整理における各列車の優先順位（ＰＬ：Ｐｒｉｏｒｉｔｙ  Ｌｅｖｅｌ）を示す乗物優先順位情報（列車優先順位情報）を生成する。
【００１６】
なお、ここでは、乗客情報と在線情報とに基づいて乗物優先順位情報を生成する例を示したが、本発明がこれに限定されることはない。更に、当該列車が特急列車か普通列車かといった列車の種別を、乗物優先順位の決定に用いてもよい。
【００１７】
予測データ管理装置１０１は、過去において承認されたか否かに基づいて運転整理案を支障レベルと乗物優先順位情報とに対応づけて記録した運転整理パターン情報を管理しており、その運転整理パターン情報を参照することにより、支障情報管理装置１０２で判断された支障レベルと、乗物優先順位管理装置１０３で生成された乗物優先順位情報とに基づいて、予測ダイヤの変更における各列車に対する運転整理案を作成する。作成された運転整理案は、ディスプレイ画面への表示などによって、指令員に提示される。指令員は、運転整理案を見て、その案を承認するか否かを決定することができる。承認されれば、その案によって運転整理が行われる。各列車の実際の運行は運行管理装置１０４によって管理される。
【００１８】
以上の構成によれば、発生した支障に対して提案する運転整理案を決定するときに、支障レベルに加えて乗客情報および存在位置情報も用いるので、運転整理の支援において状況に良好に適合する運転整理案を提案することが可能である。
【００１９】
また、運行管理装置１０４は、支障によって各列車に実際に生じた遅延を示す実績遅延情報を記録する。予測データ管理装置１０１は、発生した支障に対して見込まれる各列車の遅延時間である遅延見込み時間を予測し、その遅延見込み時間に基づいて、遅延見込み時間を見込んだ予測ダイヤである遅延見込み予測ダイヤを生成する。支障情報管理装置１０２は、支障情報と、遅延見込み予測ダイヤおよび実績遅延情報との関係に基づいて支障レベルを決定する。これによれば、遅延の見込みと実績を考慮して、遅延の影響度である支障レベルを決定するので、高い精度で支障レベルを決定することができる。
【００２０】
また、乗物優先順位管理１０３は、各列車の即時的な在線位置から得られる列車の間隔に基づいて、所定の領域（例えば、線路上の所定範囲）における列車の密度である列車密度を算出し、在線情報に含めて乗物優先順位管理装置１０３に通知するダイヤ管理装置（不図示）を有していてもよい。その場合、乗物優先順位管理装置１０３は、列車密度を用いて各列車の優先順位を決定する。これによれば、列車のある領域における列車の密度を考慮して優先順位を決定するので、高い精度で優先順位を決定することができる。
【００２１】
また、予測データ管理装置１０１は、運転整理案の提案およびその承認あるいは非承認を含むイベントが起こる毎に、提案された運転整理案とその運転整理案が承認されたか否かの承認結果とに基づいて、運転整理パターン情報を更新することにしてもよい。これによれば、運転整理案が提案され、その承認あるいは非承認のいずれかが行われると、その結果に基づいて運転整理パターン情報を更新するので、運転整理パターン情報を最新状態に維持できる。
【００２２】
図２は、本実施形態による運転整理装置の動作を示すフローチャートである。
【００２３】
運転整理装置１００は、過去において承認されたか否かに基づいて運転整理案を支障レベルと乗物優先順位情報とに対応づけて記録した運転整理パターン情報を予め保持しているものとする。
【００２４】
運転整理装置１００は、現場設備から支障情報を受信すると（ステップＳ１０１）、その支障情報に基づいて、発生した支障が乗物の運行に及ぼす影響を表す支障レベルを判断する（ステップＳ１０２）。
【００２５】
また、運転整理装置１００は、乗客情報と在線情報とを取得し（ステップＳ１０３）、それら乗客情報と在線情報に基づいて、支障に対する運転整理における各列車の列車優先順位情報を生成する（ステップＳ１０４）。その際、運転整理装置１００は、支障が発生したときに乗客情報および在線情報を取得することにしてもよく、あるいは、一定周期で乗客情報および在線情報を取得しており、支障が発生したときにその情報を用いることにしてもよい。
【００２６】
続いて、運転整理装置１００は、運転整理パターン情報を参照することにより（ステップＳ１０５）、ステップＳ１０２で判断した支障レベルと、ステップＳ１０４で生成した列車優先順位情報とに基づいて、予測ダイヤの変更における各列車に対する運転整理案を作成する（ステップＳ１０６）。作成された運転整理案は指令員に提示され、指令員によって承認あるいは非承認される。
【００２７】
最後に、運転整理装置１００は、指令員による承認あるいは非承認の結果に基づいて、運転整理パターン情報を更新する（ステップＳ１０７）。
【００２８】
以上、本実施形態について概略的に説明したが、以下、より具体的な実施例について図面を参照して説明する。
【００２９】
図３は、本実施例による列車運行管理システムの構成を示すブロック図である。
【００３０】
図３を参照すると、列車運行管理システムは、運転整理端末６、予測データ管理装置１、運行管理装置５、支障情報管理装置４、および列車優先順位管理装置３を有している。予測データ管理装置１に、運転整理端末６、運行管理装置５、支障情報管理装置４、および列車優先順位管理装置３がそれぞれ接続されている。予測データ管理装置１のマンマシンインタフェース２７が運転整理端末６と接続されている。
【００３１】
予測データ管理装置１は、予測データデータベース１６および過去運転整理実績データベース２０を備え、それらに蓄積されたデータを用いて、予測演算機能１０、運転整理提案機能２５、およびパターンマトリックス作成機能２３を実行する装置である。
【００３２】
予測演算機能１０は、運行管理装置５から与えられる計画ダイヤ１３および実績ダイヤ１２と、運転整理端末６から入力された遅延見込み時間１１とに基づき予測ダイヤを生成する機能である。遅延が見込まれていれば、それを考慮した遅延見込み予測ダイヤ１４も生成される。
【００３３】
予測演算機能１０においては、ある列車について最後に実績出発時刻が取得された駅における計画出発時刻とその駅での実績出発時刻とから、その列車に生じている遅延時分を算出する。更に、その遅延時分と、各駅での到着および出発の計画時刻と、最小停車時分と、最小駅間走行時分と、最小列車続行時分とから、予測ダイヤ１５が算出される。最小停車時分は、列車が駅に最低限停車している必要がある時分である。最小駅間走行時分は、列車が駅間を走行するのに最低必要な時分である。最小列車続行時分は、続けて走行する列車間に最低限あけるべき時分である。この予測ダイヤ１５の算出は、一定周期で行われるとともに、指令員が運転整理端末６から運転整理の実行を入力したときにも行われる。
【００３４】
生成された予測ダイヤ１５は、予測データデータベース１６に蓄積される。その他に、予測データデータベース１６には、支障情報管理装置４で作成された支障レベル情報１７と、列車優先順位管理装置３で作成された列車優先順位情報１８とが蓄積される。
【００３５】
パターンマトリックス作成機能２３は、過去運転整理実績データベース２０に蓄積された、過去に提案された運転整理案およびその承認あるいは非承認の結果に基づき、マトリックス形式の運転整理パターン情報（パターンマトリックス）を作成する機能である。
【００３６】
運転整理提案機能２５は、予測データデータベース１６に蓄積されている各種予測情報１９と、パターンマトリックス作成機能２３によって作成したパターンマトリックス情報２４とに基づいて、現場での支障および設備の状況と列車および駅の乗客の状況に適合する運転整理案を作成する。その運転整理案を含む運転整理提案情報２６はマンマシンインタフェース２７を介して運転整理案端末６に通知され、指令員に提案される。運転整理提案機能２５による運転整理案の作成は、予測演算機能１０による予測ダイヤの算出が行われるのと同一周期で行われる。
【００３７】
運行管理装置５は、計画ダイヤ５２および実績ダイヤ５１を管理しており、各ダイヤの情報と運転整理情報２８とに基づいて、列車の運行を管理する装置である。その際、運行管理装置５は、取得した実際の列車の遅延の実績を、実績ダイヤ５１に反映するとともに、実績遅延情報４１として支障情報管理装置４に通知する。
【００３８】
支障情報管理装置４は、発生した支障に関する支障情報と、運行管理装置５からの実績遅延情報４１を蓄積する支障情報データベース４２を備え、蓄積したデータを用いて、支障レベル情報作成機能４３を実行する装置である。支障レベル情報作成機能４３は、発生した支障についての支障レベルを決定する機能である。支障レベルは、支障情報と、遅延見込み予測ダイヤ１４と、実績遅延情報４１との関係に基づいて決定される。
【００３９】
列車優先順位管理装置３は、乗客情報管理装置３１およびダイヤ管理装置３３を有し、列車優先順位作成機能３６を実行する装置である。
【００４０】
乗客情報管理装置３１は、乗客情報を管理する装置であり、列車の設備から乗客情報を取得する。乗客情報は、各列車の乗客の混雑率である列車混雑率と各駅のホームの乗客の混雑率であるホーム混雑率との即時的な情報である。ダイヤ管理装置３３は、列車運行のダイヤを管理する装置であり、駅の設備から在線情報を取得し、ダイヤの管理に利用する。在線情報は、各列車の即時的な在線位置に基づく情報である。在線情報は、各列車の即時的な位置を示す情報であってもよく、あるいは各列車の即時的な位置から求まる列車密度を示す情報であってもよく、あるいはそれらの両方を含む情報であってもよい。乗客情報管理装置３１は乗客情報３２を列車優先順位情報データベース３５に格納し、ダイヤ管理装置３３は在線情報３４を列車優先順位情報データベース３５に格納する。
【００４１】
列車優先順位作成機能３６は、列車優先順位情報データベース３５に蓄積されている情報を用いて、運転整理における各列車の優先順位を決定し、列車優先順位情報１８として予測データ管理装置１に通知する。
【００４２】
以下、本実施例による列車運行管理システムの構成について更に説明する。
【００４３】
ダイヤ管理装置３３は、運行管理装置５にて管理されている計画ダイヤ５２に含まれる各列車の列車種別情報をデータベースにて管理する。例えば、この列車種別には、特急列車、普通列車、快速列車といった営業列車の区分と、回送列車、貨物列車といった非営業列車の区分とが含まれる。また、ダイヤ管理装置３３は、現場設備から取得できるリアルタイムな列車の在線位置を示す在線情報を取得し、列車の在線間隔あるいは在線列車数から列車密度を算出し、列車密度情報をデータベースにて管理する。このようにして列車種別情報と列車密度情報は、在線列車情報３４として列車優先順位情報データベース３５に蓄積される。
【００４４】
一方、乗客情報管理装置３１は、各駅のホーム上に設置したカメラで撮影した映像から、画像処理のパターンマッチング処理技術によって人物認識をし、駅ホームにいる乗客の人数を計測するという手法を用いて、ホーム混雑率をリアルタイムで計測する。乗客情報管理装置３１も同様の手法を用いて、カメラで撮影した列車内の映像から、画像処理によって乗客の人数を計測してもよい。あるいは、乗客情報管理装置３１は、列車に設置された重量センサーにより車両内の乗客の人数を算出し、無線を使って車上からデータを受信するという手法を用いて、各列車の列車混雑率をリアルタイムで計測することにしてもよい。このようにしてホーム混雑率および列車混雑率は、乗客情報３２として、列車優先順位情報データベース３５に蓄積される。
【００４５】
列車優先順位情報データベース３５は、ダイヤ管理装置３３から列車種別情報と列車密度情報を含む在線列車情報３４を受信し、乗客情報管理装置３１からホーム乗客数、ホーム混雑率及び列車混雑率の各情報を含む乗客情報３２を受信し、列車、駅、区間別に保持する。さらに、列車優先順位管理装置３は、列車優先順位作成機能３６により、列車優先順位情報データベース３５のデータをそれぞれパラメータとしてもつ重み関数を設定し、各々の列車の列車優先順位を算出する。算出された結果は列車優先順位情報１８として、予測データ管理装置１の予測データデータベース１６に送られる。
【００４６】
一方、支障情報管理装置４には、支障レベル情報作成機能４３と支障情報データベース４２が設けられている。支障情報データベース４２は、現場設備から受信する支障情報と、運転整理端末６から受信する遅延見込み時間１１とに応じて、予測データ管理装置１の予測演算機能１０で予測演算された遅延見込み予測ダイヤ１４と、運行管理装置５で取得した実績遅延情報４１を更新する。ここで、遅延見込み時間１１は、列車進路において発生した支障の状況から、支障が復旧するまでに要する回復時間であり、指令員が推測した値である。支障レベル情報作成機能４３は、支障情報データベース４２で管理される支障情報をもとに列車、駅、区間別に支障レベルを算出する。
【００４７】
そして、列車優先順位管理装置３からの列車優先順位情報１８と、支障情報管理装置４からの支障レベル情報１７が予測データデータベース１６に蓄積される。
【００４８】
運行管理装置５では、列車の走行実績を含む実績ダイヤ５１と、予め定められた各駅での列車の着発時刻を含む計画ダイヤ５２とが保持されている。ここで、計画ダイヤ５２は、指令員が運転整理のために行う入力により、運転整理情報２８にしたがって変更されることがある。また、実績ダイヤ１２と計画ダイヤ１３は、予測データ管理装置１に送信され、予測演算機能１０による各列車の予測時刻の算出に使用される。さらに、運行管理装置５は、実績ダイヤ５１と計画ダイヤ５２から各列車の遅延時間を含む実績遅延情報４１を作成し、支障情報データベース４２に送信する。
【００４９】
予測データ管理装置１におけるマンマシンインタフェース２７は、指令員が運転整理端末６から行う計画ダイヤ１３を変更する運転整理の入力を受け付ける。また、マンマシンインタフェース２７は、運転整理提案機能２５によって生成された運転整理提案情報２６に対する指令員の承認６３あるいは非承認６４の入力情報を取得する。この承認あるいは非承認の結果を示す承認・非承認情報２１は、過去運転整理実績データベース２０で管理され、次回以降に指令員に対して運転整理の提案６２を決定するための要素として使用される。
【００５０】
また、指令員が遅延見込み入力６０を入力したとき、その入力情報はマンマシンインタフェース２７で受信され、予測演算機能１０における遅延見込みの予測演算に使用される。
【００５１】
さらに、指令員は、ダイヤ検証６１により、提案６２を承認６３した場合のダイヤの変更結果を運転整理端末６上で確認することができる。
【００５２】
パターンマトリックス作成機能２３では、過去運転整理実績データベース２０から提案実績情報２２を取得し、各々の列車に対する支障レベルと列車優先順位との組合せに対して、過去に提案され、最も承認された割合（承認率）が高い運転整理案を抽出し、承認率の最も高い運転整理案を支障レベルと列車優先順位とに対応づけて、パターンマトリックス情報２４として生成する。このパターンマトリックス情報２４は、当該列車の支障レベルと列車優先順位とに対応する適切な運転整理案を特定するためのマトリックスである。尚、本システムで提案する運転整理案は、列車に対する時刻変更９１、順序変更９２、番線変更９３、運転線路変更９４、運転休止９５、折返変更９６及び新列車設定９７である。
【００５３】
運転整理提案機能２５では、各列車の予測ダイヤ１５と支障レベル情報１７と列車優先順位情報１８とを予測データデータベース１６から、予測情報１９として取得する。そして、予測情報１９を列車優先順位の高い列車の順にソートし、支障レベルと列車優先順位とを検索キーとして、パターンマトリックス情報２４を検索することにより、提案すべき運転整理案を決定する。運転整理案は、運転整理提案情報２６として、マンマシンインタフェース２７を介して運転整理端末６に送られ、指令員に提示される。
【００５４】
運転整理提案情報２６は、マンマシンインタフェース２７を経由して運転整理端末６に一覧表示される。指令員は、その提案内容をみて承認あるいは非承認を選択する。運転整理案が承認６３されると、その運転整理案によって、支障による列車の遅延回復にむけたダイヤ変更が可能となる。このとき、運行管理装置５は、予測データ管理装置１のマンマシンインタフェース２７を介して受信する運転整理情報２８に対して、ダイヤ変更の最終的な合理性チェックを行う。この合理性チェックでは、列車の順序に矛盾が無いか、列車が利用する番線の競合が無いか、到着あるいは出発の時刻に矛盾が無いか、及び運用が未定の事項が無いかチェックする。
【００５５】
また、指令員は、提案６２された運転整理案を採用しない場合、非承認６４を選択とすることができる。予測データ管理装置１は、非承認６４とされた運転整理案の提案内容を運行管理装置５に送信することはない。また、運転整理案が非承認とされると、過去運転整理実績データベース２０には、非承認の運転整理案として記録される。
【００５６】
また、列車が計画ダイヤ通りに運行されている間は、運行管理装置５がダイヤ通りに信号設備を自動制御するので、予測データ管理装置１から指令員に対して運転整理案が提案されたり、指令員が運転整理を実施したりすることはほとんど無く、指令員は主に運転整理端末６を監視だけをしていればよい。
【００５７】
本実施例によるシステムの動作の流れについて説明する。
【００５８】
図４は、過去運転整理実績データベース２０に記録されたデータの一例を示す図である。図４を参照すると、過去に提案された運転整理案と支障レベル（ＣＬ）と列車優先順位（ＰＬ）とを対応づけ、その組み合わせにおける提案承認率が記録されている。支障レベルは、支障情報管理装置４によって生成されたものであり、列車優先順位は、列車優先順位管理装置３によって生成されたものである。過去運転整理実績データベース２０の内容は、運転整理案が提案され、承認あるいは非承認が行われる毎に更新される。
【００５９】
予測データ管理装置１は、パターンマトリックス作成機能２３によって、この過去運転整理実績データベース２０の内容に基づいて、マトリックス形式の運転整理パターン情報であるパターンマトリックスを作成する。図５は、パターンマトリックスの一例を示す図である。図５を参照すると、支障レベルを縦軸に列車優先順位を横軸にもつマトリックスであり、各象限には過去の提案承認率が最も高い運転整理案の分類が設定されている。
【００６０】
どこかで支障が発生すると、支障情報管理装置４が支障レベル情報１７を生成して予測データ管理装置１に通知し、列車優先順位管理装置３が列車優先順位情報１８を生成して予測データ管理装置１に通知する。図６は、各列車の支障レベルと列車優先順位とを表す情報の一例を示す図である。例えば、Ａレの列車は支障レベル（ＣＬ）が１であり、列車優先順位（ＰＬ）が２である。
【００６１】
予測データ管理装置１は、運転整理提案機能２５によって、図６の情報に示された各列車を列車優先順位が高い順にソートする。図７は、図６における列車を列車優先順位が高い順にソートした情報を示す図である。図７を参照すると、例えば、列車優先順位が高いＢレの列車が先頭に来ている。そして、予測データ管理装置１は、列車優先順位が高い列車から順に運転整理案の作成を行う。列車優先順位が高い順に運転整理案が作成されるので、遅延を早期に回復させたい列車から優先的に運転整理を行うことができる。運転整理案の作成においては、予測データ管理装置１は、指令員に承認される可能性が高く、状況に適した運転整理案を選択する。その際、予測データ管理装置１は、支障レベルと列車優先順位を検索キーとして、図５に示したようなパターンマトリックスを検索することにより、提案する運転整理案を決定する。
【００６２】
なお、本実施例では、パターンマトリックスの各象限には承認率が最も高い１つの運転整理案だけが設定されている例を示したが、本発明がこれに限定されることはない。他の例として、各象限に承認率の高いものから順に複数の運転整理案が設定されてもよい。その場合、最初に最も承認率の高い運転整理案を提案し、それが非承認とされたら、次に承認率の高い運転整理案を提案することにしてもよい。
【００６３】
また、本実施例では、パターンマトリックスの各象限に設定する運転整理案は承認率によって決定しているが、本発明がこれに限定されることはない。他の例として、採用した場合に見込まれる列車の遅延時間が最も短い運転整理案を設定することにしてもよい。
【００６４】
次に、運転整理案の具体例として、列車の順序を入れ替える順序変更の提案が行われる過程について説明する。
【００６５】
図８Ａ〜Ｃは、運転整理案の提案が行われる過程を説明するための図である。
【００６６】
ここでは、β駅において、列車優先度の低い列車(Ａレ)に支障レベルの低い遅延が発生しているものとする。図８Ａを参照すると、Ａレの列車は、現在時刻において、ある実績遅延をもってβ駅に到着している。この状況における通常の予測ダイヤは、図８Ａの現時刻線以降に示されている通りである。すなわち、Ａレの列車は、ある遅延見込みだけ遅延してβ駅を出発し、その後、β駅にＢレの列車が到着する。Ｂレの列車は、計画ダイヤ通りの時刻にβ駅に到着し、出発するが、Ａレの遅延の影響を受けて、計画ダイヤよりも遅い速度でα駅まで走行することになっている。
【００６７】
ここでは図６、７に示したようにＡレよりもＢレの方が列車優先順位が高く、Ｂレを計画ダイヤ通りに運転するという要求が高いため、今回と同じ支障レベルおよび列車優先順位における過去の実績として列車を順序変更する運転整理案の承認率が高かったものとする。
【００６８】
このとき過去の運転整理案の提案とその承認あるいは非承認の実績から、Ｂレを計画ダイヤ通り運転させるように、Ａレに対して、α駅においてＡレがＢレの後順になるような順序変更が提案される。図８Ｂには、順序変更の提案内容によるダイヤ（提案ダイヤ）が示されている。図８Ｂを参照すると、Ａレの列車が、ある実績遅延だけ遅延して現時点にβ駅に到着している。Ａレの提案ダイヤは、Ｂレの列車がβ駅を通過するまで、Ａレはβ駅に停車しており、そのあとで発車するというものである。この提案ダイヤを指令員が承認すると、提案ダイヤが新たな計画ダイヤとなる。図８Ｃには、提案ダイヤが計画ダイヤに変更された後のダイヤが示されている。図８Ｃを参照すると、計画ダイヤは、ＡレはＢレがβ駅を通過するまでβ駅に停車し、その後で出発するというものとなっている。
【００６９】
その他の場合として、例えば、Ａレの実績遅延が小さく、かつＡレの遅延見込みも小さいような支障レベルが低い支障が起きた場合、運転整理案としては時刻変更によって、Ａレのα駅−β駅間の走行時分を短くするという対処が適切となる場合が多い。また、いずれかの駅の構内において列車の進路上に支障が発生した場合や、ある列車の先行列車が遅延したため、計画ダイヤ通りの同一番線の使用が困難になった場合には、番線変更によって、列車が使用するホームの番線を変更するのが有効である場合が多い。
【００７０】
このように、支障レベルが低い場合に多く用いられる運転整理案には傾向がある。具体的には、時刻変更、順序変更、番線変更は、支障レベルが比較的低い場合に多く用いられる。
【００７１】
一方、例えば、ある列車の走行する予定となっていた区間が大規模な破損により、長時間にわたり列車が走行できない状態になるような支障レベルの高い支障が起きる場合がある。このとき、複々線などの代替経路が存在していれば運転整理案として運転線路変更が有効となる。代替経路が存在していなければ、運転整理案として折返変更を採用し、上下線の列車をそれぞれ支障発生箇所の手前の駅で折り返すのが有効となる。ただし、そのときは、折返しを行う駅が折り返し運転の可能な駅である必要がある。また、運転線路変更や折返変更を行う場合、走行予定区間の運転休止も並行しての提案することになる。また、大規模な列車の停止や遅延が長時間続く場合、駅におけるホーム混雑率が高くなることがある。そのような場合には、運転整理案として新列車設定を採用し、ホーム混雑率の低減を図るというのが有効となることがある。
【００７２】
このように、支障レベルが高い場合に多く用いられる運転整理案にも傾向がある。具体的には、運転線路変更、運転休止、折返変更、新列車設定は、支障レベルが比較的高い場合に多く用いられる。
【００７３】
本実施例では、図６に示したパターンマトリックスの各象限には、全ての運転整理案を候補として、承認率の高いものを設定することにしたが、本発明がこれに限定されることはない。他の例として、支障レベルに応じて、パターンマトリックスの象限に設定する運転整理案の候補を限定することにしてもよい。例えば、支障レベルが所定値以下の象限には、支障レベルが低い支障において用いられることが多い複数個の運転整理案だけが設定され得るというようにすればよい。
【００７４】
以上、本実施例によれば、支障の発生により列車の遅延が拡大していく状況において、各列車の支障レベルと列車優先順位に基づき、過去の運転整理案の提案とその承認あるいは非承認の結果の実績から、同様の支障状況に対して、指令員が採用する可能性の高い運転整理案を提案することで、支障発生時における指令員の作業軽減、列車運用の効率化、列車群の遅延の早期回復が可能となる。
【００７５】
なお、上述の実施形態および実施例では、典型的なものとして鉄道の列車運行管理システムを例示したが、本発明がこれに限定されることはない。他の例として、バスなど、乗客を輸送する用途に用いられる乗り物に広く適用することができる。
【００７６】
また、上述の実施形態および実施例は、本発明の説明のための例示であり、本発明の範囲をそれらの実施形態や実施例のみに限定する趣旨ではない。当業者は、本発明の要旨を逸脱することなしに、他の様々な態様で本発明を実施することができる。
【符号の説明】
【００７７】
１００…運転整理装置、１０１…予測データ管理装置、１０２…支障情報管理装置、１０３…乗物優先順位管理装置、１０４…運行管理装置、２０…過去運転整理実績データベース、２３…パターンマトリックス作成機能、２４…パターンマトリックス情報、２５…運転整理提案機能、２６…運転整理提案情報、２７…マンマシンインタフェース、３…列車優先順位管理装置、３１…乗客情報管理装置、３３…ダイヤ管理装置、３５…列車優先順位情報データベース、３６…列車優先順位作成機能、４…支障情報管理装置、４２…支障情報データベース、４３…支障レベル情報作成機能、５…運行管理装置、６…運転整理端末
【図１】
2014091480.tif 000003
【図２】
2014091480.tif 000004
【図３】
2014091480.tif 000005
【図４】
2014091480.tif 000006
【図５】
2014091480.tif 000007
【図６】
2014091480.tif 000008
【図７】
2014091480.tif 000009
【図８Ａ】
2014091480.tif 000010
【図８Ｂ】
2014091480.tif 000011
【図８Ｃ】
2014091480.tif 000012